(57)【要約】【課題】ゴルフコースのグリーン上にある小石や砂、枯枝などを容易に且つペナルティーの危険性無く掃いて取り除くことを可能とする。【解決手段】 プレーの妨げにならずに常時ポケット等に入れて携帯できる薄いカード型のブラシを提供する。ブラシは携帯時にはカバーに格納されていてポケット等に入れても邪魔にならず、使用時にはブラシの毛先部分をカバーから出して小石や砂、枯枝などを掃いてパッティングライン上から取り除くことができる。【選択図】図６
2011115505.tif 000002
【特許請求の範囲】
【請求項１】
薄いカード型で一辺側に刷毛の機能を持ったブラシ部とそれを格納するための薄いカード型でポケット状となったカバー部から構成され、カバー部からブラシの毛先部分の出し入れが容易に可能であることを特徴としたゴルフコースのグリーン上にある砂や小石、枯葉などを掃いて取り除くための携帯用カード型ブラシ。
【請求項２】
請求項1に記載の携帯用カード型ブラシにおいて、ブラシを格納するカバー部がスコアカードホルダーに形成されたスコアカードホルダー一体型携帯用ブラシ。
【発明の詳細な説明】
【技術分野】
【０００１】
本発明はゴルフコースのグリーン上にある小石や砂、枯枝などを掃いて取り除くためのブラシに関するものである。
【背景技術】
【０００２】
ゴルフコースのグリーンには小石や砂、枯枝などがパッティングライン上にありプレーを妨げることがある。これらの障害物はルースインペディメントと言い、ルール上はグリーン面を押さえることが無ければ如何なる方法でも取り除くことが許されている。
【０００３】
通常は指で摘んだり掃いたりして取り除く方法がとられるが、ガードバンカー付近などで多量に散乱している砂などは容易に取り除くことができず、また手（指）のひら側で掃いて取り除こうとするとグリーン面のテストと見なされてペナルティーを課される危険性があった。
【発明の概要】
【発明が解決しようとする課題】
【０００４】
解決しようとする問題点は、従来のように手（指）を使うかぎりにおいては容易に且つペナルティーの危険性無くグリーン上の小石や砂などを取り除くことが困難であるという点である。
【課題を解決するための手段】
【０００５】
本発明ではプレーの妨げにならずに常時携帯できる薄いカード型のブラシを提供することによってこの課題を解決した。
【発明の効果】
【０００６】
本発明のブラシにより容易に且つペナルティーの危険性無くグリーン上の小石や砂などを掃いてパッティングラインから取り除くことができ、スコアアップに貢献できる。また薄いカード型のためパンツ等のポケットに入れて携帯してもプレーの妨げになることはない。
【図面の簡単な説明】
【０００７】
【図１】カード型ブラシを構成する部品を示した図である。（実施例１）
【図２】カバーの形成方法を示した斜視図である。（実施例１）
【図３】カバーを示した斜視図である。（実施例１）
【図４】カバーにブラシを格納する様子を示した斜視図である。（実施例１）
【図５】カード型ブラシの携帯時の状態を示した斜視図ある。（実施例１）
【図６】カード型ブラシの使用時の状態を示した斜視図ある。（実施例１）
【図７】スコアカードホルダーと一体型のカバー部を構成する部品を示した斜視図である。（実施例２）
【図８】スコアカードホルダーと一体型のカバー部を示した斜視図である。（実施例２）
【図９】スコアカードホルダーと一体型のカバー部にブラシを格納する様子を示した斜視図である。（実施例２）
【図１０】スコアカードホルダー一体型ブラシの使用時の状態を示した斜視図である。（実施例２）
【図１１】ブラシの形成方法を示した図である。（実施例３）
【図１２】ブラシの形成方法を示した斜視図である。（実施例４）
【図１３】ブラシを示した斜視図である。（実施例５）
【発明を実施するための形態】
【０００８】
携帯時にはパンツ等のポケットに入れても邪魔にならないように、ブラシの毛先部分がカバー部の中に格納され、また使用時にはカバー部から毛先部分を出してブラシとして使うことの出来る薄いカード型のブラシを安価で実現した。
【実施例１】
【０００９】
図１は本発明のカード型ブラシを構成する部品を示すものである。１と２はそれぞれブラシを格納するカバーの表と裏になる。３はブラシの移動を容易にするためのガード、４はブラシである。カバー表の中央部には窓枠がくり貫いてあり、これは指でブラシの出し入れを容易にするためものである。
【００１０】
カバーの大きさはパンツ等のポケットに入る程度であれば良いが、ここでは一例として、100ｍｍ×70ｍｍとする。ポケットに入れて携帯しても邪魔にならないように薄く且つ適度な柔軟性が要求されるため、材質と厚みはこの点を考慮して選定する必要がある。材質にはいろいろなものが考えられるが樹脂系のものが適当であり、ここでは一例として一般的な樹脂材料であるポリプロピレンとし、厚みは0.4ｍｍ程度とする。
【００１１】
ガードは必ずしも必要では無いが、ブラシのスライドを容易にするためのスペースを稼ぐ意味であった方が好ましい。大きさ（外寸）、材質はカバーと同じで、幅は5ｍｍとする。厚みはブラシ厚との兼ね合いになるが、ブラシがカバー内で簡単にスライドしないようにブラシ厚より若干薄くするのが好ましい。本例ではカバー厚と同じ0.4ｍｍ程度とする。
【００１２】
図1の５に示すようにブラシの一辺側は短冊状に切り込みが入れてあり、刷毛としての機能を有する形状とする。ブラシの大きさはカバーに入れた際にガード内に収まるようにガードの内寸より若干小さめにする必要がある。本例の場合、93ｍｍ×58ｍｍとし、刷毛部５（短冊状の切り込み）の長さは25ｍｍ程度とする。
【００１３】
ブラシには適度の柔軟性に加えてある程度の剛性を有するものが適当であり、ここでは一例として一般的な樹脂材料でもあるポリエチレンテレフタレートを材質とし、厚みは0.5ｍｍ程度とする。
【００１４】
図２の矢印のようにカバー表と裏の各々３辺側をガード部分と接着させることにより、図３で示すような薄いカード型で且つポケット状になったカバー６が完成する。接着方法は両面テープや接着剤を使う方法などがあるが、ここでは熱溶着で行う。
【００１５】
図４に示すように矢印に従ってカバーの開いている口側から中にブラシを挿入すると本発明の薄いカード型ブラシが完成する。
【００１６】
図５はブラシが完全にカバーに格納された状態を示しており、薄いカード型で且つ適度な柔軟性を有するためパンツ等のポケットに入れて携帯してもプレーの邪魔になることはない。
【００１７】
使用する際には、図６のようにブラシの刷毛部を出すことによってブラシとして機能させることが出来る。前述のとおりカバーの表にくり貫いた窓枠から指でブラシをスライドさせることにより、片手でも容易に毛先部分の出し入れが可能となる。
【実施例２】
【００１８】
スコアカードホルダーにこのブラシを搭載しても良い。ほとんどのゴルファーはスコアカードをスコアカードホルダーに入れ常時携帯してプレーするので、これに本発明のブラシが一体になればより便利になる。
【００１９】
図７に構成する部品を示す。１および３は実施例1と同様、カバーの表およびブラシの移動を容易にするためのガードで、７はスコアカードホルダーである。
【００２０】
実施例1と同じようにスコアカードホルダーとカバーの表を各々ガード部分と接着させると図８のようにブラシを入れる薄いポケット（カバー）を有したスコアカードホルダー８が完成する。
【００２１】
図９の矢印に従ってこのポケット部にブラシを挿入すれば図10で示すように本発明の機能を有するスコアカードホルダー一体型ブラシが完成する。厚さがあまり変わらないため、従来のスコアカードホルダーと同じようなに携帯が出来る。
【実施例３】
【００２２】
実施例1では樹脂板の一辺側を短冊状に切り込みを入れることでブラシを形成したが、刷毛部の密度を高くしてより効率的なブラシにするために樹脂板を複数枚重ねて形成する方法もある。その方法を図１１で説明する。９は実施例1と同様のブラシであるが刷毛部分の切り込みを中心からやや左にずらしてある。１０は９と同じものを裏返した状態を示してある。この２枚を切り込みを入れた刷毛部分が互い違いになるように重ねて刷毛部分以外を貼り合せると密度の高い刷毛部を有するブラシ１１が完成する。
【実施例４】
【００２３】
パイル状の樹脂を樹脂板で左右から挟むことでブラシを形成することも出来る。図１２でその方法を説明する。１２は樹脂板、１３は刷毛部を形成するパイル状の樹脂である。パイル状の樹脂の下方一部分を挟み込むように樹脂版同士を貼り合せれば薄型のブラシ１４が完成する。
【実施例５】
【００２４】
また、毛先部の形状を工夫することで更に使いやすいブラシにすることも出来る。図１３でその説明をする。実施例1のブラシの場合は１５のように毛先部の先端を折り曲げる。また、実施例４のブラシの場合は１６のようにパイル状樹脂の先端を若干太く形成する。１７,１８は各々１５、１６のブラシの毛先部分を拡大した図である。こうすることによりグリーンの芝に絡んで取り難い小石や枯葉なども毛先に引っかかりやすくなり、より効率的に払い除けることが出来る。
【産業上の利用可能性】
【００２５】
以上説明したように本発明によるブラシによりグリーン上の小石、砂等の除去が容易になりスコアアップに貢献できる。また薄いカード型のためパンツ等のポケットに入れて携帯してもプレーの妨げになることはない。
【符号の説明】
【００２６】
１  カバーの表側
２  カバーの裏側
３  ガード
４  ブラシ
５  ブラシの刷毛部分
６  カバー
７  スコアカードホルダー
８  カバーと一体となったスコアカードホルダー
９  実施例３のブラシの一部
１０  実施例３のブラシの一部
１１  実施例３のブラシ
１２  樹脂板
１３  パイル状の樹脂
１４  実施例４のブラシ
１５  実施例５のブラシ 
１６  実施例５のブラシ
１７  拡大した１５の毛先部分
１８  拡大した１６の毛先部分 
【図１】
2011115505.tif 000003
【図２】
2011115505.tif 000004
【図３】
2011115505.tif 000005
【図４】
2011115505.tif 000006
【図５】
2011115505.tif 000007
【図６】
2011115505.tif 000008
【図７】
2011115505.tif 000009
【図８】
2011115505.tif 000010
【図９】
2011115505.tif 000011
【図１０】
2011115505.tif 000012
【図１１】
2011115505.tif 000013
【図１２】
2011115505.tif 000014
【図１３】
2011115505.tif 000015